(57)【要約】【課題】画質の劣化を抑制し、消費電力を低減する。【解決手段】表示装置１０は、画像表示パネル４０と、光源部と、信号処理部２０と、を備え、信号処理部２０は、入力信号に基づき、光源部から照射される光の照射量を求めるための指標である画素指標値を画素４８毎に算出する画素指標値算出部と、起点画素の画素指標値より大きい値である上境界値と、起点画素の前画素指標値より小さい値である下境界値との間の値を画素指標値とする画素４８が、起点画素から連続して存在するかを判定する連続判定を行い、連続する画素の領域を塊と判定する塊判定部と、塊中の各画素４８の画素指標値に基づき、塊指標値を算出する塊指標値算出部と、対象領域の全域の画素４８の画素指標値に基づき、対象領域の領域指標値を算出する領域指標値算出部と、塊指標値と領域指標値とを比較し、光の照射量が大きくなる方の値に基づき、対象領域における光源部の光の照射量を決定する光照射量決定部と、を有する。【選択図】図１
2016200745.tif 000002
【特許請求の範囲】
【請求項１】
複数の画素が行列状に配置された画像表示パネルと、
前記画像表示パネルに光を照射する光源部と、
画像の入力信号に基づいて前記画素を制御し、かつ、前記光源部の光の照射量を制御する信号処理部と、を備え、
前記信号処理部は、
前記入力信号に基づき、前記光源部から照射される光の照射量を求めるための指標である画素指標値を前記画素毎に算出する画素指標値算出部と、
起点画素の前記画素指標値より大きい値である上境界値と、前記起点画素の前記画素指標値より小さい値である下境界値との間の値を前記画素指標値とする画素が、前記起点画素から連続して存在するかを判定する連続判定を行い、連続する画素の領域を塊と判定する塊判定部と、
前記塊中の各画素の前記画素指標値に基づき、前記塊の指標値である塊指標値を算出する塊指標値算出部と
対象領域の全域の画素の前記画素指標値に基づき、前記対象領域の全域の指標値である領域指標値を算出する領域指標値算出部と、
前記塊指標値と前記領域指標値とを比較し、光の照射量が大きくなる方の値に基づき、前記対象領域における前記光源部の光の照射量を決定する光照射量決定部と、
を有する、表示装置。
【請求項２】
前記塊判定部は、前記連続判定を、前記起点画素から所定の方向側の各画素に対して、前記所定の方向に沿って順番に行い、所定の画素の直前に前記連続判定された画素である直前画素の画素指標値が前記上境界値と前記下境界値との間の値であり、かつ、前記所定の画素の画素指標値が前記上境界値と前記下境界値との間の値である場合に、前記所定の画素は前記起点画素から連続すると判定する、請求項１に記載の表示装置。
【請求項３】
前記塊判定部は、前記連続判定において、画素が連続しないと判断した場合に、前記連続判定を中断し、連続しないと判定された画素を新たな前記起点画素として、前記連続判定を再開する、請求項２に記載の表示装置。
【請求項４】
前記塊判定部は、前記所定の画素の画素指標値が、前記直前画素の画素指標値から所定値だけ値が異なり、前記上境界値と前記下境界値との間の範囲外の値である一時境界値と、前記直前画素の画素指標値との間の値である場合には、前記所定の画素は前記起点画素から連続すると判定する、請求項２又は請求項３に記載の表示装置。
【請求項５】
前記一時境界値は、前記直前画素の画素指標値が前記起点画素の画素指標値より大きい場合に、前記上境界値より大きい値となり、前記直前画素の画素指標値が前記起点画素の画素指標値より小さい場合に、前記下境界値より小さい値となる、請求項４に記載の表示装置。
【請求項６】
前記塊判定部は、前記所定の画素の画素指標値が、前記直前画素の画素指標値と前記一時境界値との間の値であっても、前記上境界値より値が大きい限界上境界値と前記下境界値よりも値が小さい限界下境界値との間の範囲外の値である場合、前記所定の画素は前記起点画素から連続しないと判定する、請求項４又は請求項５に記載の表示装置。
【請求項７】
前記塊指標値算出部は、塊中の各画素の画素指標値のうちの最大値を、前記塊指標値とする、請求項１から請求項６のいずれか１項に記載の表示装置。
【請求項８】
前記塊指標値算出部は、塊中の各画素の画素指標値のうちの最大値と最小値との間の値を、前記塊指標値とする、請求項１から請求項６のいずれか１項に記載の表示装置。
【請求項９】
前記塊指標値算出部は、塊中の各画素の画素指標値の平均に基づき、前記塊指標値を算出する、請求項８に記載の表示装置。
【請求項１０】
前記塊指標値算出部は、前記塊中の画素の画素指標値と前記起点画素の画素指標値との差分同士を平均して算出した差分平均値と、前記起点画素の画素指標値と、に基づき、前記塊指標値を算出する、請求項８に記載の表示装置。
【請求項１１】
前記塊判定部は、前記起点画素の画素指標値が予め決められた所定の値以上である場合に、前記起点画素を起点に前記連続判定を行う、請求項１から請求項１０のいずれか１項に記載の表示装置。
【請求項１２】
請求項１から請求項１１のいずれか１項に記載の表示装置を備える電子機器。
【請求項１３】
複数の画素が行列状に配置された画像表示パネルと、
前記画像表示パネルに光を照射する光源部と、を備える表示装置の駆動方法であって、
画像の入力信号を検出する入力信号検出ステップと、
前記入力信号に基づき、前記光源部から照射される光の照射量を求めるための指標である画素指標値を前記画素毎に算出する画素指標値算出ステップと、
起点画素の画素指標値より大きい値である上境界値と、前記起点画素の画素指標値より小さい値である下境界値との間の値を画素指標値とする画素が、前記起点画素から連続して存在するかを判定する連続判定を行い、連続する画素の領域を塊と判定する塊判定ステップと、
前記塊中の各画素の画素指標値に基づき、前記塊の指標値である塊指標値を算出する塊指標値算出ステップと、
対象領域の全域の画素の前記画素指標値に基づき、前記対象領域の全域の指標値である領域指標値を算出する領域指標値算出ステップと、
前記塊指標値と前記領域指標値とを比較し、光の照射量が大きくなる方の値に基づき、前記対象領域における前記光源部の光の照射量を決定する光照射量決定ステップと、
前記決定した光の照射量に基づいて前記光源部の光の照射量を制御する制御ステップと、を有する表示装置の駆動方法。
【発明の詳細な説明】
【技術分野】
【０００１】
本開示は、表示装置、電子機器及び表示装置の駆動方法に関する。
【背景技術】
【０００２】
近年、携帯電話及び電子ペーパー等のモバイル機器向け等の表示装置の需要が高くなっている。表示装置では、１つの画素が複数の副画素を備え、当該複数の副画素がそれぞれ異なる色の光を出力し、当該副画素の表示のオン及びオフを切り換えることで、１つの画素で種々の色を表示させている。このような表示装置は、解像度及び輝度といった表示特性も年々向上してきている。しかし、解像度が高くなるにしたがって開口率が低下してくるため、高輝度を達成しようとした場合、バックライトの輝度を高くする必要があり、バックライトの消費電力が増大するという問題がある。
【０００３】
これを改善するため、従来の赤、緑、青の副画素に第４の副画素である白画素を加える技術がある（例えば、特許文献１）。この技術は、白画素が輝度を向上させる分、バックライトの電流値を下げ、消費電力を低減する。
【０００４】
また、特許文献２には、画像データを解析する方法として、第１の測定可能属性に対応する第１の軸および上記第１の測定可能属性に関する特定の値を持つピクセルのカウント数に対応する第２の軸を有するデジタル形式画像の度数分布を作成し、上記度数分布を複数クラスターに分割することが記載されている。特許文献２では、解析した結果に基づいて、画像のコントラストを強化する技術が記載されている。また、特許文献３では、基準画素と隣接画素との信号値を解析して画像の認識精度を向上させる技術が記載されている。
【先行技術文献】
【特許文献】
【０００５】
【特許文献１】特開２０１１−１５４３２３号公報
【特許文献２】特開２０１３−１９５６０５号公報
【特許文献３】特開２０１４−１０６３３号公報
【発明の概要】
【発明が解決しようとする課題】
【０００６】
ここで、バックライトからの輝度を低減する方法としては、画像の解析を行い、表示される画像の輝度や彩度に応じてバックライトの輝度を低下させ、消費電力を低減させる方法がある。この場合、画像の入力信号を解析して、高輝度、高彩度な画像ではないと判断した場合、バックライトの輝度を低下させる。しかしながら、高輝度、高彩度な画像ではないと判断した画像であっても、実際にバックライトの輝度を低下させると画質の劣化が認識される場合がある。また、特許文献２の技術は、度数分布からクラスター検出するため、演算量が多くなり、解析の負荷が高くなる。
【０００７】
本発明は、上記課題を解決するために、演算量の増加を抑制しつつ、画質の劣化を抑制し、かつ、消費電力を低減することができる表示装置、電子機器及び表示装置の駆動方法を提供することを目的とする。
【課題を解決するための手段】
【０００８】
本発明の表示装置は、複数の画素が行列状に配置された画像表示パネルと、前記画像表示パネルに光を照射する光源部と、画像の入力信号に基づいて前記画素を制御し、かつ、前記光源部の光の照射量を制御する信号処理部と、を備え、前記信号処理部は、前記入力信号に基づき、前記光源部から照射される光の照射量を求めるための指標である指標値を前記画素毎に算出する画素指標値算出部と、起点画素の前記指標値より大きい値である上境界値と、前記起点画素の前記指標値より小さい値である下境界値との間の値を前記指標値とする画素が、前記起点画素から連続して存在するかを判定する連続判定を行い、連続する画素の領域を塊と判定する塊判定部と、前記塊中の各画素の前記指標値に基づき、前記塊の指標値である塊指標値を算出する塊指標値算出部と対象領域の全域の画素の前記指標値に基づき、前記対象領域の全域の指標値である領域指標値を算出する全域指標値算出部と、前記塊指標値と前記領域指標値とを比較し、光の照射量が大きくなる方の値に基づき、前記対象領域における前記光源部の光の照射量を決定する光照射量決定部と、を有する。
【図面の簡単な説明】
【０００９】
【図１】図１は、第１実施形態に係る表示装置の構成の一例を示すブロック図である。
【図２】図２は、第１実施形態に係る画像表示パネルの概念図である。
【図３】図３は、本実施形態に係る光源ユニットの説明図である。
【図４】図４は、光源ユニットの射出面の領域を示す模式図である。
【図５】図５は、第１実施形態に係る信号処理部の構成の概要を示すブロック図である。
【図６】図６は、本実施形態の表示装置で再現可能な再現ＨＳＶ色空間の概念図である。
【図７】図７は、再現ＨＳＶ色空間の色相と彩度との関係を示す概念図である。
【図８】図８は、連続判定を説明するための一例を示す説明図である。
【図９】図９は、塊指標値の算出処理を説明するフローチャートである。
【図１０】図１０は、水平方向の塊指標値の算出処理を説明するフローチャートである。
【図１１】図１１は、垂直方向の塊指標値の算出処理を説明するフローチャートである。
【図１２】図１２は、領域光照射値の算出処理を示すフローチャートである。
【図１３】図１３は、輝度分布情報を説明するための模式図である。
【図１４】図１４は、光源別ルックアップテーブルを示した図である。
【図１５】図１５は、表示装置に表示される画素の光の照射量の一例を説明するための説明図である。
【図１６】図１６は、表示装置に表示される画素の光の照射量の一例を説明するための説明図である。
【図１７】図１７は、水平方向の塊判定を行った場合を説明した説明図である。
【図１８】図１８は、水平方向の塊判定を行った場合を説明した説明図である。
【図１９】図１９は、水平方向の塊判定を行った場合を説明した説明図である。
【図２０】図２０は、垂直方向の塊判定を行った場合を説明した説明図である。
【図２１】図２１は、第２実施形態における連続判定を説明するための一例を示す説明図である。
【図２２】図２２は、第２実施形態における連続判定値の算出方法を説明するフローチャートである。
【図２３】図２３は、第２実施形態における連続判定値の算出方法を説明するフローチャートである。
【図２４】図２４は、第１実施形態に係る表示装置を適用する電子機器の一例を示す図である。
【図２５】図２５は、第１実施形態に係る表示装置を適用する電子機器の一例を示す図である。
【発明を実施するための形態】
【００１０】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（第１実施形態）
（表示装置の全体構成）
図１は、第１実施形態に係る表示装置の構成の一例を示すブロック図である。図２は、第１実施形態に係る画像表示パネルの概念図である。図１に示すように、第１実施形態の表示装置１０は、信号処理部２０と、画像表示パネル駆動部３０と、画像表示パネル４０と、光源駆動部５０と、光源ユニット６０とを有する。信号処理部２０は、制御装置１１の画像出力部１２からの入力信号（ＲＧＢデータ）が入力され、入力信号に所定のデータ変換処理を加えて生成した信号を表示装置１０の各部に送る。画像表示パネル駆動部３０は、信号処理部２０からの信号に基づいて画像表示パネル４０の駆動を制御する。光源駆動部５０は、信号処理部２０からの信号に基づいて光源ユニット６０の駆動を制御する。光源ユニット６０は、光源駆動部５０の信号に基づいて画像表示パネル４０を背面から照明する。画像表示パネル４０は、画像表示パネル駆動部３０からの信号及び光源ユニット６０からの光により画像を表示させる。
【００１２】
（画像表示パネルの構成）
最初に、画像表示パネル４０の構成について説明する。図１及び図２に示すように、画像表示パネル４０は、画素４８が、Ｐ０×Ｑ０個（行方向にＰ０個、列方向にＱ０個）、２次元のマトリクス状（行列状）に配列されている。図１に示す例は、ＸＹの２次元座標系に複数の画素４８がマトリクス状に配列されている例を示している。この例において、Ｘ方向は、水平方向（行方向）であり、Ｙ方向は、垂直方向（列方向）であるが、これに限られず、Ｘ方向が垂直方向であってＹ方向が水平方向であってもよい。
【００１３】
画素４８は、第１副画素４９Ｒと、第２副画素４９Ｇと、第３副画素４９Ｂと、第４副画素４９Ｗとを有する。第１副画素４９Ｒは、第１色（例えば、赤色）を表示する。第２副画素４９Ｇは、第２色（例えば、緑色）を表示する。第３副画素４９Ｂは、第３色（例えば、青色）を表示する。第４副画素４９Ｗは、第４色（例えば、白色）を表示する。第１色、第２色、第３色及び第４色は、赤色、緑色、青色及び白色に限られず、補色などでもよく、互いに色が異なっていればよい。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも輝度が高いことが好ましい。以下において、第１副画素４９Ｒと、第２副画素４９Ｇと、第３副画素４９Ｂと、第４副画素４９Ｗとをそれぞれ区別する必要がない場合、副画素４９という。また、副画素の配列する位置を区別して記載する場合、例えば画素４８（ｐ，ｑ）の第４副画素を、第４副画素４９Ｗ（ｐ，ｑ）と記載する。
【００１４】
画像表示パネル４０は、カラー液晶表示パネルであり、第１副画素４９Ｒと画像観察者との間に第１色を通過させる第１カラーフィルタが配置され、第２副画素４９Ｇと画像観察者との間に第２色を通過させる第２カラーフィルタが配置され、第３副画素４９Ｂと画像観察者との間に第３色を通過させる第３カラーフィルタが配置されている。また、画像表示パネル４０は、第４副画素４９Ｗと画像観察者との間にカラーフィルタが配置されていない。第４副画素４９Ｗには、カラーフィルタの代わりに透明な樹脂層が備えられていてもよい。このように画像表示パネル４０は、透明な樹脂層を設けることで、第４副画素４９Ｗにカラーフィルタを設けないことにより生じる第４副画素４９Ｗの大きな段差を抑制することができる。
【００１５】
（画像表示パネル駆動部の構成）
図１及び図２に示すように、画像表示パネル駆動部３０は、信号出力回路３１及び走査回路３２を有する。画像表示パネル駆動部３０は、信号出力回路３１によって映像信号を保持し、順次、画像表示パネル４０に出力する。より詳しくは、信号出力回路３１は、信号処理部２０からの出力信号に応じた所定の電位を有する画像出力信号を、画像表示パネル４０に出力する。信号出力回路３１は、信号線ＤＴＬによって画像表示パネル４０と電気的に接続されている。走査回路３２は、画像表示パネル４０における副画素４９の動作（光透過率）を制御するためのスイッチング素子（例えば、ＴＦＴ）のＯＮ／ＯＦＦを制御する。走査回路３２は、配線ＳＣＬによって画像表示パネル４０と電気的に接続されている。
【００１６】
（光源駆動部及び光源部の構成）
光源ユニット６０（光源部）は、画像表示パネル４０の背面に配置され、画像表示パネル４０に向けて光を照射することで、画像表示パネル４０を照明する。図３は、本実施形態に係る光源ユニットの説明図である。光源ユニット６０は、導光板６１と、導光板６１の少なくとも一側面を入射面Ｅとして、この入射面Ｅに対向する位置に、複数の光源６２Ａ、６２Ｂ、６２Ｃ、６２Ｄ、６２Ｅ及び６２Ｆを配列したサイドライト光源６２と、を備えている。複数の光源６２Ａ、６２Ｂ、６２Ｃ、６２Ｄ、６２Ｅ及び６２Ｆは、例えば、同色（例えば、白色）の発光ダイオード（ＬＥＤ：Light  Emitting  Diode）である。複数の光源６２Ａ、６２Ｂ、６２Ｃ、６２Ｄ、６２Ｅ及び６２Ｆは、導光板６１の一側面に沿って並んでおり、光源６２Ａ、６２Ｂ、６２Ｃ、６２Ｄ、６２Ｅ及び６２Ｆが並ぶ光源配列方向をＬＹとした場合、光源配列方向ＬＹに直交する入光方向ＬＸに向けて、入射面Ｅから導光板６１へ光源６２Ａ、６２Ｂ、６２Ｃ、６２Ｄ、６２Ｅ及び６２Ｆの入射光が入光する。以下、光源６２Ａ、６２Ｂ、６２Ｃ、６２Ｄ、６２Ｅ及び６２Ｆを区別しない場合は、光源６２と記載する。
【００１７】
光源駆動部５０は、光源ユニット６０が出力する光の光量等を制御する。具体的には、光源駆動部５０は、信号処理部２０から出力される面状光源装置制御信号ＳＢＬに基づいて光源ユニット６０に供給する電流又はデューティ比（ｄｕｔｙ比）を調整することで、画像表示パネル４０を照射する光の照射量（光の強度）を制御する。そして、光源駆動部５０は、図３に示す複数の光源６２Ａ、６２Ｂ、６２Ｃ、６２Ｄ、６２Ｅ及び６２Ｆに対して個々に独立して電流又はデューティ比（ｄｕｔｙ比）を制御し、各光源６２Ａ、６２Ｂ、６２Ｃ、６２Ｄ、６２Ｅ及び６２Ｆの照射する光の光量（光の強度）を制御する、光源の分割駆動制御をすることができる。
【００１８】
導光板６１は、光源配列方向ＬＹに現れる両端面で光の反射が生じるため、光源配列方向ＬＹに現れる両端面に近い、光源６２Ａ及び光源６２Ｆが照射する光の強度分布と、光源６２Ａ及び光源６２Ｆの間に配置される、例えば光源６２Ｃが照射する光の強度分布が異なっている。このため、本実施形態に係る光源駆動部５０は、図３に示す複数の光源６２Ａ、６２Ｂ、６２Ｃ、６２Ｄ、６２Ｅ及び６２Ｆに対して個々に独立して電流又はデューティ比（ｄｕｔｙ比）を制御し、各光源６２Ａ、６２Ｂ、６２Ｃ、６２Ｄ、６２Ｅ及び６２Ｆの光強度分布に応じて照射する光の光量（光の強度）を制御する必要がある。
【００１９】
光源ユニット６０は、光源６２Ａ〜６２Ｆの入射光が光源配列方向ＬＹに直交する入光方向ＬＸに向けて照射され、入射面Ｅから導光板６１に入る。導光板６１に入射した光は、拡散しながら入射方向ＬＸに進む。導光板６１は、光源６２Ａ〜６２Ｆから照射され入射した光を画像表示パネル４０を背面から照明する照明方向ＬＺへ照射する。本実施形態において、照明方向ＬＺは、光源配列方向ＬＹと、入光方向ＬＸとに直交する。
【００２０】
図４は、光源ユニットの射出面の領域を示す模式図である。本実施形態の表示装置１０は、画像表示パネル４０が画像を表示する面である画像表示面に向けて光源ユニット６０が光を射出する面である射出面１０２を、仮想的に複数の領域１０４に分割している。領域１０４は、入光方向ＬＸに平行な複数の分割線１０６と、光源配列方向ＬＹに平行な複数の分割線１０８とで、マトリックス状に分割されている。分割線１０６は、光源６２Ａ〜６２Ｆのうち、隣接する２つの光源の間に設けられている。したがって、分割線１０６は、等間隔に５本設けられている。これにより、領域１０４は、各光源６２Ａ〜６２Ｆに対応した領域となる。また、分割線１０８が、等間隔で２本設けられている。これにより、射出面１０２は、３行６列の１８個の領域１０４に分割されている。なお、領域１０４を分割する数は特に限定されないが、光源配列方向ＬＹは、光源の配置に合わせて分割することが好ましい。これにより各光源の出力を制御しやすくなる。表示装置１０は、領域１０４のうちの１つを対象領域として、対象領域毎に後述する領域光照射値１／αを算出する。対象領域は、領域１０４と、その領域１０４から光が照射される画像表示パネル４０の画像表示面の領域と、を有する。画像表示面の領域は、画像表示パネル４０の画像表示面全体の一部分の領域であって、領域内に画素４８を有する。ただし、上述のように領域１０４の数は任意であるため、領域１０４は、１つであって射出面１０２の全体を占めるものであってもよく、それに対応する画像表示面の領域も、１つであって画像表示面の領域全体占めるものであってよい。
【００２１】
（信号処理部の構成）
信号処理部２０は、制御装置１１から入力される入力信号を処理して出力信号を生成する。信号処理部２０は、赤色（第１色）、緑色（第２色）、青色（第３色）の色を組み合わせて表示させる入力信号の入力値を、赤色（第１色）、緑色（第２色）、青色（第３色）及び白色（第４色）で再現される拡大色空間（第１実施形態ではＨＳＶ色空間）の再現値（出力信号）に変換して生成する。そして、信号処理部２０は、生成した出力信号を画像表示パネル駆動部３０に出力する。拡大色空間については後述する。なお、第１実施形態において、拡大色空間はＨＳＶ色空間であるが、これに限られずＸＹＺ色空間、ＹＵＶ空間その他の座標系でもよい。また、信号処理部２０は、光源駆動部５０に出力する光源制御信号ＳＢＬも生成する。
【００２２】
図５は、第１実施形態に係る信号処理部の構成の概要を示すブロック図である。図５に示すように、信号処理部２０は、仮伸長係数算出部７２、色相判定部７３、画素指標値算出部７４、塊判定部７６、塊指標値算出部７８、領域指標値算出部８０、光照射量決定部８２、伸長係数算出部８４、及び出力信号生成部８６を有する。信号処理部２０のこれらの各部は、互いに独立したもの（回路等）でもよく、互いに共通するものであってもよい。
【００２３】
仮伸長係数算出部７２は、制御装置１１から画像の入力信号を取得し、入力信号を伸長するための仮の係数である仮伸長係数α１を画素４８毎に算出する。仮伸長係数算出部７２は、画像表示パネル４０中の全画素４８について、仮伸長係数α１を算出する。仮伸長係数算出部７２は、画素４８毎に、入力信号に基づいて表示する色の彩度、及び明度を算出し、それらに基づき仮伸長係数α１を算出する。仮伸長係数算出部７２による仮伸長係数α１の算出方法については、後述する。
【００２４】
色相判定部７３は、入力信号に基づいて、各画素の色相を判定する。
【００２５】
画素指標値算出部７４は、仮伸長係数算出部７２から各画素４８の仮伸長係数α１の情報を取得する。画素指標値算出部７４は、各画素４８の仮伸長係数α１に基づき、画素４８毎に画素指標値１／α１を算出する。画素指標値算出部７４は、画像表示パネル４０中の全画素４８について、画素指標値１／α１を算出する。画素指標値１／α１は、光源ユニット６０が照射する光の照射量を求めるための指標である。第１実施形態における画素指標値１／α１は、値が大きくなるほど光源ユニット６０の光源点灯量が大きくなり（光の照射量の削減率が小さくなり）、値が小さくなるほど光源ユニット６０の光源点灯量が小さくなる（光の照射量の削減率が大きくなる）。画素指標値１／α１は、値が１／α１である。すなわち、ある画素４８の画素指標値１／α１の値は、その画素４８における仮伸長係数α１の逆数となる。
【００２６】
塊判定部７６は、画素指標値算出部７４から画素４８の画素指標値１／α１の情報を取得し、色相判定部７３から画素４８の色相の情報を取得する。塊判定部７６は、画素指標値１／α１及び色相の情報に基づき、全ての画素４８のうちから選択された起点画素４８ｓと、他の画素４８とが連続するかを判定する連続判定を行い、連続する画素の領域を塊であると判定する。起点画素４８ｓは、連続判定を行う場合の起点となる画素である。塊判定部７６は、全ての画素４８のうちから、画素指標値１／α１が予め決められた所定の値以上である画素を、起点画素４８ｓとして選択する。ただし、塊判定部７６は、所定の値を定めず、全ての画素４８のうちから任意で起点画素４８ｓを選択してもよい。塊判定部７６は、連続判定において連続すると判定した画素の領域を塊と判定する。塊とは、連続判定において連続すると判定された複数の画素４８からなる画素群であるということもできる。なお、塊判定部７６は、色相判定部７３の色相の情報については使用しても使用しなくてもよい。塊判定部７６による連続判定方法の詳細は、後述する。
【００２７】
塊指標値算出部７８は、塊判定部７６が判定した塊中の各画素４８の画素指標値１／α１の情報を取得する。塊指標値算出部７８は、塊中の各画素４８の画素指標値１／α１の情報に基づき、その塊の指標値である塊指標値１／α２を算出する。なお、塊指標値１／α２は、塊を構成する画素４８における光源ユニット６０の光の照射量を求めるための指標である。塊指標値算出部７８による塊指標値１／α２の算出処理の詳細は、後述する。
【００２８】
領域指標値算出部８０は、画素指標値算出部７４から対象領域中の画素４８における画素指標値１／α１の情報を取得し、色相判定部７３から対象領域中の画素４８の色相の情報を取得する。領域指標値算出部８０は、画素指標値１／α１の情報と色相の情報とに基づき、対象領域における全域の指標値である領域指標値１／α３を算出する。領域指標値１／α３は、対象領域への光源ユニット６０の光の照射量を求めるための指標であり、対象領域中の全画素４８に共通する指標である。なお、領域指標値算出部８０は、色相判定部７３の色相の情報については使用しても使用しなくてもよい。領域指標値算出部８０による領域指標値１／α３の算出処理の詳細は、後述する。
【００２９】
光照射量決定部８２は、塊指標値算出部７８から塊指標値１／α２の情報を取得し、領域指標値算出部８０から領域指標値１／α３の情報を取得する。光照射量決定部８２は、対象領域における塊指標値１／α２の値と領域指標値１／α３の値とを比較し、光源ユニット６０の光の照射量が大きくなる方の値に基づき、対象領域における光源ユニット６０の光の照射量を決定する。具体的には、光照射量決定部８２は、対象領域における塊指標値１／α２の値と領域指標値１／α３の値とのうち、光源ユニット６０の光の照射量が大きくなる方の値を、領域光照射値１／αとする。なお、領域光照射値１／αは、光源ユニット６０の光の照射量を示す値である。領域光照射値１／αは、値が大きくなるほど光源ユニット６０の光源点灯量が大きくなり（光の照射量の削減率が小さくなり）、値が小さくなるほど光源ユニット６０の光源点灯量が小さくなる（光の照射量の削減率が大きくなる）。
【００３０】
ＬＤ記憶部８３は、光源ユニット６０の各光源６２の輝度分布情報ＬＤの情報を記憶する。上述のように、光源６２は、それぞれ照射する光の強度分布（輝度分布）が異なっている。輝度分布情報ＬＤは、その各光源６２の輝度分布の情報である。光照射量決定部８２は、領域光照射値１／αと、輝度分布情報ＬＤとに基づき、光源ユニット６０の各光源の点灯量である領域点灯量１／α’を決定する。光照射量決定部８２は、領域点灯量１／α’の情報を、光源制御信号ＳＢＬとして、光源駆動部５０に出力する。
【００３１】
また、光照射量決定部８２は、領域点灯量１／α’に基づき、画素光照射量１／α０を算出する。画素光照射量１／α０は、各画素４８に対して光源ユニット６０が照射する光の照射量である。伸長係数算出部８４は、光照射量決定部８２から、画素光照射量１／α０の情報を取得する。伸長係数算出部８４は、画素光照射量１／α０の値に基づき、対象領域中の画素４８の入力信号を伸長するための伸長係数α０を算出する。
【００３２】
出力信号生成部８６は、伸長係数算出部８４から伸長係数α０の情報を取得する。出力信号生成部８６は、伸長係数α０の値及び入力信号に基づき、対象領域中の画素４８に所定の色を表示させるための出力信号を生成する。出力信号生成部８６は、生成した出力信号を、画像表示パネル駆動部３０に出力する。出力信号生成部８６による出力信号の生成処理は、後述する。
【００３３】
（表示装置の処理動作）
（画素指標値の算出処理）
次に、表示装置１０の処理動作のうち、画素指標値１／α１の算出処理について説明する。上述のように、画素指標値１／α１は、仮伸長係数α１に基づき算出される。図６は、本実施形態の表示装置で再現可能な再現ＨＳＶ色空間の概念図である。図７は、再現ＨＳＶ色空間の色相と彩度との関係を示す概念図である。
【００３４】
ここで、表示装置１０は、画素４８に第４色（白色）を出力する第４副画素４９Ｗを備えることで、図６に示すように、再現される色空間（第１実施形態では、ＨＳＶ色空間）における明度のダイナミックレンジが広げられている。つまり、図６に示すように、表示装置１０が再現する拡大色空間は、第１副画素４９Ｒ、第２副画素４９Ｇ及び第３副画素４９Ｂで表示できる円柱形状の色空間の上に、彩度が高くなるほど明度の最大値が低くなる、彩度軸と明度軸とを含む断面における形状が、斜辺が曲線となる略台形形状となる立体が載っている形状となる。第４色（白色）を加えることで拡大された拡大色空間（第１実施形態では、ＨＳＶ色空間）における彩度Ｓを変数とした明度の最大値Ｖmax（Ｓ）が、信号処理部２０に記憶されている。つまり、信号処理部２０は、図６に示す拡大色空間の立体形状について、彩度と色相の座標（値）毎に明度の最大値Ｖmax（Ｓ）の値を記憶している。ここで、入力信号は、第１副画素４９Ｒ、第２副画素４９Ｇ及び第３副画素４９Ｂの入力信号で構成されているため、入力信号の色空間は、円柱形状、つまり、拡大色空間の円柱形状部分と同じ形状となる。
【００３５】
仮伸長係数α１は、入力信号を伸長して、出力信号により再現する色空間を拡大色空間に拡大するための仮の値である。信号処理部２０は、仮伸長係数算出部７２により、対象領域中の画素４８における副画素４９の入力信号値に基づき、これらの画素４８における彩度Ｓ及び明度Ｖ（Ｓ）を求め、仮伸長係数α１を算出する。以下、具体的に説明する。
【００３６】
ここで、彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができ、ｎは表示階調ビット数である。また、Ｍａｘは、画素への第１副画素４９Ｒの入力信号値、第２副画素４９Ｇの入力信号値及び第３副画素４９Ｂの入力信号値の３つの副画素の入力信号値の最大値である。Ｍｉｎは、画素への第１副画素４９Ｒの入力信号値、第２副画素４９Ｇの入力信号値及び第３副画素４９Ｂの入力信号値の３つの副画素の入力信号値の最小値である。また、色相Ｈは、図７に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤となる。
【００３７】
信号処理部２０は、表示する画像の情報である入力信号が制御装置１１から入力される。入力信号は、各画素に対して、その位置で表示する画像（色）の情報を入力信号として含んでいる。具体的には、第（ｐ，ｑ）番目の画素（但し、１≦ｐ≦Ｉ，１≦ｑ≦Ｑ０）に対して、信号値がｘ１−（ｐ，ｑ）の第１副画素の入力信号、信号値がｘ２−（ｐ，ｑ）の第２副画素の入力信号、及び、信号値がｘ３−（ｐ，ｑ）の第３副画素の入力信号が含まれる信号が信号処理部２０に入力される。
【００３８】
一般に、第（ｐ，ｑ）番目の画素において、円柱のＨＳＶ色空間における入力色の彩度（Saturation）Ｓ（ｐ，ｑ）、明度（Value）Ｖ（Ｓ）（ｐ，ｑ）は、第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づき、次の式（１）及び式（２）より求めることができる。
【００３９】
Ｓ（ｐ，ｑ）＝（Ｍａｘ（ｐ，ｑ）−Ｍｉｎ（ｐ，ｑ））／Ｍａｘ（ｐ，ｑ）・・・（１）
Ｖ（Ｓ）（ｐ，ｑ）＝Ｍａｘ（ｐ，ｑ）・・・（２）
【００４０】
ここで、Ｍａｘ（ｐ，ｑ）は、（ｘ１−（ｐ，ｑ）、ｘ２−（ｐ，ｑ）、ｘ３−（ｐ，ｑ））の３個の副画素４９の入力信号値の最大値であり、Ｍｉｎ（ｐ，ｑ）は、（ｘ１−（ｐ，ｑ）、ｘ２−（ｐ，ｑ）、ｘ３−（ｐ，ｑ））の３個の副画素４９の入力信号値の最小値である。第１実施形態ではｎ＝８とした。すなわち、表示階調ビット数を８ビット（表示階調の値を０から２５５の２５６階調）とした。
【００４１】
信号処理部２０は、仮伸長係数算出部７２により、対象領域中の各画素４８の明度Ｖ（Ｓ）（ｐ，ｑ）及び拡大色空間のＶｍａｘ（Ｓ）に基づき、次の式（３）により仮伸長係数α１を算出する。仮伸長係数α１は、画素４８毎に異なる値をとる場合がある。
【００４２】
α１（ｐ，ｑ）＝Ｖｍａｘ（Ｓ）／Ｖ（Ｓ）（ｐ，ｑ）・・・（３）
【００４３】
信号処理部２０は、画素指標値算出部７４により、α１（ｐ，ｑ）の逆数を算出し、算出したα１（ｐ，ｑ）の逆数を、第（ｐ，ｑ）番目の画素４８の画素指標値１／α１（ｐ，ｑ）とする。信号処理部２０は、このようにして、各画素４８の画素指標値１／α１を算出する。
【００４４】
（塊指標値の算出処理）
次に、塊判定部７６による連続判定、及び塊指標値の算出処理について説明する。連続判定において、塊判定部７６は、画像表示パネル４０中の全ての画素４８のうちから、連続判定を開始する起点となる起点画素４８ｓを選択し、画像表示パネル４０中の全ての画素４８のうちから抽出したサンプリング点の画素４８に対して、連続判定を行う。塊判定部７６は、起点画素４８ｓから判定方向Ｚ側のサンプリング点の各画素４８に対して、判定方向Ｚに沿って順番に連続判定を行う。ここで、判定方向Ｚは、水平方向（Ｘ方向）及び垂直方向（Ｙ方向）であり、塊判定部７６は、水平方向及び垂直方向のそれぞれの方向で連続判定を行う。ただし、塊判定部７６は、水平方向と垂直方向のいずれかのみの方向で連続判定を行ってもよく、水平方向又は垂直方向から傾斜した方向を判定方向Ｚとして連続判定してもよい。なお、水平方向は、画像を画像表示パネル４０に書き込む際の書き込み位置が移動する方向である。つまり、データの処理時に信号が処理される画素の移動方向が水平方向となる。垂直方向は、上述のように水平方向に直交する方向である。また、塊判定部７６は、サンプリング点の画素について解析を行うことで、サンプリング点をとらずに全ての画素４８を解析するよりも、演算処理を低減することができる。また、サンプリング点は、所定の画素間隔で設けることが好ましい。また、サンプリング点は、水平方向、垂直方向にずれていてもよいし、重なる位置でもよい。ただし、塊判定部７６は、サンプリング点をとらずに、全ての画素４８に対して連続判定を行ってもよい。
【００４５】
具体的には、塊判定部７６は、起点画素４８ｓを選択したら、起点画素４８ｓの画素指標値１／α１に基づき、連続判定のための連続判定値を算出する。第１実施形態においては、連続判定値は、上境界値Ｕｐ及び下境界値Ｂｏである。上境界値Ｕｐは、起点画素４８ｓの画素指標値１／α１より大きい値であり、下境界値Ｂｏは、起点画素４８ｓの画素指標値１／α１より小さい値である。塊判定部７６は、起点画素４８ｓの画素指標値１／α１よりも所定値Ａ１だけ大きい値を、上境界値Ｕｐとする。また、塊判定部７６は、起点画素４８ｓの画素指標値１／α１よりも所定値Ａ２だけ小さい値を、下境界値Ｂｏとする。所定値Ａ１、Ａ２は、予め設定されている値であり、互いに同じ値である。ただし、所定値Ａ１、Ａ２は、それぞれ異なる値でもよく、例えば操作者の設定などにより変更可能であってもよい。
【００４６】
上境界値Ｕｐ及び下境界値Ｂｏを算出した後、塊判定部７６は、選択した起点画素４８ｓから判定方向Ｚに沿ってサンプリング点の画素４８に対して連続判定を行う。連続判定を行う画素を判定画素４８ｕとすると、塊判定部７６は、判定画素４８ｕの画素指標値１／α１が、下境界値Ｂｏと上境界値Ｕｐとの間の値（下境界値Ｂｏ以上、上境界値Ｕｐ以下の値）である場合に、判定画素４８ｕは起点画素４８ｓに連続する画素であると判定する。塊判定部７６は、判定画素４８ｕの画素指標値１／α１が、下境界値Ｂｏと上境界値Ｕｐとの間の値の範囲外の値である場合は、判定画素４８ｕは起点画素４８ｓに連続しない画素であると判定する。塊判定部７６は、判定画素４８ｕが連続すると判定した場合、次のサンプリング点の画素４８を判定画素４８ｕとして同様の連続判定を行う。塊判定部７６は、起点画素４８ｓから、連続していないと判定される画素４８の直前に連続していると判定された画素４８までの間の画素４８を、連続する画素であると判定する。
【００４７】
塊判定部７６は、判定画素４８ｕが連続しないと判定した場合、この連続判定を中断する。塊判定部７６は、連続しないと判定された判定画素４８ｕを、新たな起点画素４８ｓとして選択し、この新たな起点画素４８ｓを起点として、連続判定を再開する。１つの連続判定において連続すると判定された画素４８は、互いに連続しているものであるが、異なる連続判定における画素４８同士は、互いに連続しない。
【００４８】
また、より詳しくは、塊判定部７６は、判定画素４８ｕの直前に連続判定した画素である直前画素４８ｔがある場合、直前画素４８ｔの画素指標値１／α１が下境界値Ｂｏと上境界値Ｕｐとの間の値であり、かつ、判定画素４８ｕの画素指標値１／α１が下境界値Ｂｏと上境界値Ｕｐとの間の値である場合に、起点画素４８ｓから判定画素４８ｕまでが連続すると判定するということができる。すなわち、直前画素４８ｔが下境界値Ｂｏと上境界値Ｕｐとの間の値でない場合、直前画素４８ｔは連続していないと判定されるので、その次に判定される判定画素４８ｕが下境界値Ｂｏと上境界値Ｕｐとの間の値であっても、判定画素４８ｕが起点画素４８ｓと連続しているとは判定されない。
【００４９】
図８は、連続判定を説明するための一例を示す説明図である。以上説明した連続判定の一例を、図８により説明する。図８の横軸は、サンプリング点の各画素４８を示し、縦軸はサンプリング点の各画素４８の画素指標値１／α１を示す。すなわち、図８は、サンプリング点の画素４８毎の画素指標値１／α１を示したものである。
【００５０】
塊判定部７６は、図８に示すように、画素４８ａ１を起点画素４８ｓとして選択して連続判定を行う場合、画素４８ａ１の画素指標値１／α１に基づき、画素４８ａ１の上境界値Ｕｐａ１と、画素４８ａ１の下境界値Ｂｏａ１とを算出する。
【００５１】
上境界値Ｕｐａ１と下境界値Ｂｏａ１とを算出した後、塊判定部７６は、画素４８ａ１の判定方向Ｚに沿った次のサンプリング点の画素である画素４８ａ２を判定画素４８ｕとして、画素４８ａ２が画素４８ａ１と連続しているかを判定する。図８に示すように、画素４８ａ２の画素指標値１／α１は、上境界値Ｕｐａ１と下境界値Ｂｏａ１と間の値である。従って、塊判定部７６は、画素４８ａ２が画素４８ａ１と連続していると判定する。
【００５２】
画素４８ａ２が連続していると判定した後、塊判定部７６は、画素４８ａ２の次のサンプリング点の画素である画素４８ａ３を判定画素４８ｕとして、画素４８ａ３が画素４８ａ１と連続しているかを判定する。図８に示すように、画素４８ａ３の画素指標値１／α１は、上境界値Ｕｐａ１と下境界値Ｂｏａ１と間の値である。従って、塊判定部７６は、画素４８ａ３が画素４８ａ１と連続していると判定する。
【００５３】
画素４８ａ２が連続していると判定した後、塊判定部７６は、同様に画素４８ａ３の次のサンプリング点の画素である画素４８ａ４の連続判定を行う。図８に示すように、画素４８ａ４の画素指標値１／α１は、上境界値Ｕｐａ１と下境界値Ｂｏａ１と間の範囲外の値である。従って、塊判定部７６は、画素４８ａ４が画素４８ａ１と連続していないと判定する。塊判定部７６は、画素４８ａ１から画素４８ａ３までが連続していると判定し、画素４８ａ１から画素４８ａ３までの間にある複数の画素４８を、塊と判定する。
【００５４】
塊判定部７６は、画素４８ａ４が画素４８ａ１と連続していないと判定したため、画素４８ａ１を起点画素４８ｓとした連続判定を中断する。そして、塊判定部７６は、画素４８ａ４を起点画素４８ｓとした連続判定を新たに再開する。塊判定部７６は、同様に、画素４８ａ４の上境界値Ｕｐａ４と下境界値Ｂｏａ４とを算出する。塊判定部７６は、画素４８ａ４の次のサンプリング点の画素である画素４８ａ５の連続判定を行う。図８に示すように、画素４８ａ５の画素指標値１／α１は、上境界値Ｕｐａ４と下境界値Ｂｏａ４と間の値である。従って、塊判定部７６は、画素４８ａ５が画素４８ａ４と連続していると判定する。塊判定部７６は、このように同様の連続判定処理を繰り返す。
【００５５】
塊判定部７６は、以上説明したように連続判定を行い、連続していると判定した画素４８同士を、塊であると判定する。塊指標値算出部７８は、塊判定部７６から、塊を構成する画素の情報（位置情報）と、その塊中の各画素４８の画素指標値１／α１の情報とを取得する。塊指標値算出部７８は、塊中の全画素４８の画素指標値１／α１のうちの最大値を、その塊における塊指標値１／α２とする。塊指標値１／α２は、その塊に含まれる各画素４８に共通する値である。なお、塊中の全画素４８には、起点画素４８ｓも含まれる。
【００５６】
以上説明した塊指標値１／α２の算出処理の処理フローを、フローチャートに基づき説明する。図９は、塊指標値の算出処理を説明するフローチャートである。図９に示すように、塊指標値算出部７８は、塊判定部７６の連続判定の結果に基づき、水平方向の塊指標値１／α２を算出しつつ（ステップＳ１０）、垂直方向の塊指標値１／α２を算出する（ステップＳ１２）。なお、ステップＳ１０とステップＳ１２の処理は、後述する。ここで、ステップＳ１０の処理とステップＳ１２の処理は並行して行ってもよいし、順番に行ってもよい。
【００５７】
塊指標値算出部７８は、水平方向、垂直方向の塊指標値１／α２を算出したら、水平方向の塊指標値１／α２＞垂直方向の塊指標値１／α２であるかを判定する（ステップＳ１４）。塊指標値算出部７８は、水平方向の塊指標値１／α２＞垂直方向の塊指標値１／α２である（ステップＳ１４でＹｅｓ）と判定した場合、水平方向の塊指標値１／α２を塊指標値１／α２に決定し（ステップＳ１６）、本処理を終了する。塊指標値算出部７８は、水平方向の塊指標値１／α２＞垂直方向の塊指標値１／α２ではない（ステップＳ１４でＮｏ）、つまり水平方向の塊指標値１／α２≦垂直方向の塊指標値１／α２であると判定した場合、水平方向の塊指標値１／α２＜垂直方向の塊指標値１／α２であるかを判定する（ステップＳ１７）。
【００５８】
塊指標値算出部７８は、水平方向の塊指標値１／α２＜垂直方向の塊指標値１／α２である（ステップＳ１７でＹｅｓ）と判定した場合、垂直方向の塊指標値１／α２を塊指標値１／α２に決定し（ステップＳ１８）、本処理を終了する。つまり、塊指標値算出部７８は、水平方向と垂直方向のうち大きい方の塊指標値１／α２を塊指標値１／α２に設定する。塊指標値算出部７８は、水平方向の塊の塊指標値１／α２＜垂直方向の塊指標値１／α２ではない（ステップＳ１７でＮｏ）と判定した場合、つまり、水平方向の塊指標値１／α２＝垂直方向の塊指標値１／α２である場合、色相の優先順位に基づいて塊指標値１／α２を決定する（ステップＳ１９）。具体的には、水平方向の塊指標値１／α２と垂直方向の塊指標値１／α２とのうち、色相優先順位の高い方の塊指標値１／α２を塊指標値１／α２とする。優先順位としては、優先順位が高い順に、黄、黄緑、シアン、緑、マゼンタ、バイオレット、赤、青の順が例示される。
【００５９】
次に、水平方向の塊指標値１／α２の算出方法（決定方法）ついて説明する。図１０は、水平方向の塊指標値の算出処理を説明するフローチャートである。信号処理部２０は、塊判定部７６により、判定方向Ｚを水平方向として連続判定を行い、連続判定の判定結果に基づき、水平方向の塊指標値１／α２を算出する。
【００６０】
図１０に示すように、信号処理部２０は、塊判定部７６により、起点画素４８ｓの画素指標値１／α１を抽出し（ステップＳ２２）、起点画素４８ｓの画素指標値１／α１≧閾値であるかを判定する（ステップＳ２４）。ここで、閾値は、予め決められた所定の値であり、画素指標値１／α１として、塊検出の考慮が必要ない（本実施形態の調整が必要ない）範囲と判定するための基準である。閾値は、８‘ｈ２０が例示されるがこれに限定されない。塊判定部７６は、起点画素４８ｓの画素指標値１／α１≧閾値でない（ステップＳ２４でＮｏ）、すなわち画素指標値１／α１＜閾値であると判定した場合、ステップＳ３４に進む。
【００６１】
塊判定部７６は、起点画素４８ｓの画素指標値１／α１＞閾値以上である（ステップＳ２４でＹｅｓ）と判定した場合、連続判定のための連続判定値を決定する（ステップＳ２５）。第１実施形態において、連続判定値は、起点画素４８ｓの画素指標値１／α１に基づいて算出される上境界値Ｕｐ及び下境界値Ｂｏである。
【００６２】
連続判定値を決定した後、塊判定部７６は、起点画素４８ｓの水平方向に隣接するサンプリング点の画素指標値１／α１を抽出して（ステップＳ２６）、サンプリング点の画素が起点画素４８ｓと連続しているかを判定する（ステップＳ２８）。塊判定部７６は、サンプリング点の画素の画素指標値１／α１が、連続判定値の範囲内の値（上境界値Ｕｐ及び下境界値Ｂｏの間の値）である場合、サンプリング点の画素が起点画素４８ｓと連続していると判定する。なお、塊判定部７６は、例えば２以上の設定した数以上のサンプリング点の画素が起点画素４８ｓと連続している場合に、連続していると判定してもよい。すなわち、この場合、塊判定部７６は、起点画素４８ｓとその次のサンプリング点の画素４８である画素４８ｋとが連続し、起点画素４８ｓと画素４８ｋの次のサンプリング点の画素４８ｌが連続していない場合は、起点画素４８ｓと画素４８ｋとは連続していないと判定する。
【００６３】
塊判定部７６は、画素が連続していない（ステップＳ２８でＮｏ）と判定した場合、サンプリングのフラグを保持し、連続検出信号をリセットし（ステップＳ３０）、ステップＳ３４に進む。連続検出信号は、サンプリング点が連続している間ＯＮとなる信号である。塊判定部７６は、画素が連続している（ステップＳ２８でＹｅｓ）と判定した場合、起点画素４８ｓ及びサンプリング点の画素４８の画素指標値１／α１と、そのフラグとを保持し（ステップＳ３２）、ステップＳ３４に進む。
【００６４】
塊判定部７６は、サンプリング点の判定を行ったら、水平方向の領域の境界に到達しているかを判定する（ステップＳ３４）。塊判定部７６は、水平方向の領域の境界に到達していない（ステップＳ３４でＮｏ）と判定した場合、ステップＳ２２に戻り、次のサンプリング点について、上述と同様の処理を行う。塊判定部７６は、このように、水平方向の領域の境界に到達するまで処理を繰り返す。塊判定部７６は、水平方向の領域の境界に到達している（ステップＳ３４でＹｅｓ）と判定した場合、画像の境界、つまり画像表示パネルの画素の端まで到達したかを判定する（ステップＳ３６）。
【００６５】
塊判定部７６は、画像の境界に到達していない（ステップＳ３６でＮｏ）と判定した場合、画素指標値１／α１とフラグを持ち越し（ステップＳ３８）、ステップＳ２２に戻る。塊判定部７６は、画像の境界に到達している（ステップＳ３６でＹｅｓ）と判定した場合、水平方向の連続判定処理を終了するか、つまり、画像の全面のサンプリング点について連続判定を行ったかを判定する（ステップＳ４０）。
【００６６】
塊判定部７６は、水平方向の連続判定を終了していない（ステップＳ４０でＮｏ）と判定した場合、次のラインに移動し、連続検出信号とフラグをリセットし（ステップＳ４２）、ステップＳ２２に戻る。塊判定部７６は、水平方向の連続判定を終了した（ステップＳ４０でＹｅｓ）と判定した場合、対象領域毎に水平方向の塊指標値１／α２を決定し（ステップＳ４４）、本処理を終了する。塊判定部７６は、連続すると判定された画素の画素指標値１／α１のうち、最大値を水平方向の塊指標値１／α２とする。
【００６７】
次に、垂直方向の塊指標値１／α２の算出方法（決定方法）ついて説明する。図１１は、垂直方向の塊指標値の算出処理を説明するフローチャートである。信号処理部２０は、塊判定部７６により、判定方向Ｚを垂直方向として連続判定を行い、連続判定の判定結果に基づき、垂直方向の塊指標値１／α２を算出する。
【００６８】
塊判定部７６は、起点画素４８ｓの画素指標値１／α１を抽出し（ステップＳ６２）、起点画素４８ｓの画素指標値１／α１≧閾値であるかを判定する（ステップＳ６４）。塊判定部７６は、起点画素４８ｓの画素指標値１／α１≧閾値でない（ステップＳ６４でＮｏ）、すなわち画素指標値１／α１＜閾値であると判定した場合、ステップＳ７６に進む。
【００６９】
塊判定部７６は、起点画素４８ｓの画素指標値１／α１＞閾値以上である（ステップＳ６４でＹｅｓ）と判定した場合、連続判定のための連続判定値を決定する（ステップＳ６５）。第１実施形態において、連続判定値は、起点画素４８ｓの画素指標値１／α１に基づいて算出される上境界値Ｕｐ及び下境界値Ｂｏである。
【００７０】
連続判定値を決定した後、塊判定部７６は、起点画素４８ｓのフラグと画素指標値１／α１と連続判定値とをＦＩＦＯ、ＲＡＭ等に記憶し（ステップＳ６６）、垂直方向に隣接するサンプリング点の画素指標値１／α１を抽出し（ステップＳ６８）、サンプリング点の画素が連続しているかを判定する（ステップＳ７０）。連続の判定方法は水平方向と同様である。
【００７１】
塊判定部７６は、サンプリング点の画素が連続していない（ステップＳ７０でＮｏ）と判定した場合、サンプリングのフラグを保持し、対象のサンプリング点に不連続の情報を対応付け（ステップＳ７２）、ステップＳ７６に進む。塊判定部７６は、サンプリング点の画素が連続している（ステップＳ７０でＹｅｓ）と判定した場合、対象のサンプリング点に連続の情報を対応付け、サンプリング点の画素指標値１／α１を記憶し（ステップＳ７４）、ステップＳ７６に進む。
【００７２】
塊判定部７６は、サンプリング点の判定を行ったら、垂直方向の領域の境界に到達しているかを判定する（ステップＳ７６）。塊判定部７６は、垂直方向の領域の境界に到達していない（ステップＳ７６でＮｏ）と判定した場合、ステップＳ６２に戻り、次のサンプリング点について、上述と同様の処理を行う。塊判定部７６は、垂直方向の領域の境界に到達している（ステップＳ７６でＹｅｓ）と判定した場合、画像の境界、つまり画像表示パネル４０の画素の端まで到達したかを判定する（ステップＳ８０）。
【００７３】
塊判定部７６は、画像の境界に到達していない（ステップＳ８０でＮｏ）と判定した場合、ステップＳ６２に戻る。塊判定部７６は、画像の境界に到達している（ステップＳ８０でＹｅｓ）と判定した場合、垂直方向の連続判定を終了するか、つまり、画像の全面のサンプリング点について連続判定を行ったかを判定する（ステップＳ８２）。
【００７４】
塊判定部７６は、垂直方向の連続判定を終了していない（ステップＳ８２でＮｏ）と判定した場合、次のラインに移動し（ステップＳ８４）、ステップＳ６２に戻る。塊判定部７６は、垂直方向の連続判定を終了した（ステップＳ８２でＹｅｓ）と判定した場合、対象領域毎に垂直方向の塊指標値１／α２を決定し（ステップＳ８６）、本処理を終了する。塊判定部７６は、連続すると判定された画素の画素指標値１／α１のうち、最大値を垂直方向の塊指標値１／α２とする。
【００７５】
（領域指標値の算出処理）
次に、領域指標値算出部８０による領域指標値１／α３の算出処理について説明する。
【００７６】
領域指標値算出部８０は、画素指標値算出部７４から対象領域中の画素４８における画素指標値１／α１の情報を取得し、色相判定部７３から対象領域中の画素４８の色相の情報を取得する。領域指標値算出部８０は、所定のアルゴリズムを用いて、画素指標値１／α１の情報と色相の情報とに基づき、対象領域における全域の指標値である領域指標値１／α３を算出する。ここで、所定のアルゴリズムとしては、例えば、対象領域中の各画素４８の画素指標値１／α１の分布を算出し、その値以上の画素指標値１／α１を有する画素が所定画素数以上となり、かつ最も値が大きい画素指標値１／α１を、領域指標値１／α３とする処理を用いることができる。領域指標値１／α３は、対象領域中の全画素４８に共通する値である。領域指標値算出部８０は、対象領域が複数ある場合は、全ての対象領域において、領域指標値１／α３を算出する。
【００７７】
（領域光照射値の算出処理）
次に、光照射量決定部８２による領域指標値１／α３の算出処理について説明する。
【００７８】
光照射量決定部８２は、塊指標値算出部７８から塊指標値１／α２の情報を取得し、領域指標値算出部８０から領域指標値１／α３の情報を取得する。光照射量決定部８２は、対象領域における塊指標値１／α２の値と領域指標値１／α３の値とを比較し、対象領域における塊指標値１／α２の値と領域指標値１／α３の値とのうち、光源ユニット６０の光の照射量が大きくなる方の値を、領域光照射値１／αとする。領域光照射値１／αは、対象領域中の全画素４８に共通する値である。光照射量決定部８２は、対象領域が複数ある場合は、全ての対象領域において、領域光照射値１／αを算出する。
【００７９】
以下に、以上説明した領域光照射値１／αの算出処理フローを、フローチャートに基づいて説明する。図１２は、領域光照射値の算出処理を示すフローチャートである。信号処理部２０は、画素指標値算出部７４により、各画素の画素指標値１／α１を算出し（ステップＳ９０）、算出した各画素の画素指標値１／α１に基づいて、領域指標値算出部８０により対象領域毎に領域指標値１／α３を決定しつつ（ステップＳ９２）、塊指標値算出部７８により塊指標値１／α２を算出する（ステップＳ９４）。ここで、ステップＳ９２の処理とステップＳ９４の処理は並行して行ってもよいし、順番に行ってもよい。
【００８０】
信号処理部２０は、塊指標値１／α２と領域指標値１／α３を決定したら、有効サンプルがあるかを判定する（ステップＳ９６）。具体的には、解析した結果、有効と判定できるサンプルの数、サンプリング数が０より大きいかを判定する。信号処理部２０は、有効サンプルがない（ステップＳ９６でＮｏ）、つまり有効サンプリング数が０であると判定した場合、光照射量決定部８２により、予め設定されたデフォルト値を領域光照射値１／αに決定し（ステップＳ９８）、本処理を終了する。ここで、デフォルト値としては、例えば８‘ｈ２０を用いることができる。なお、有効サンプルとは、サンプリング点の画素のうち連続すると判定された画素群、すなわち塊であり、有効サンプルがないとは、連続すると判定された画素がない、すなわち塊が検出されなかった場合をいう。
【００８１】
信号処理部２０は、有効サンプルがある（ステップＳ９６でＹｅｓ）、つまり有効サンプリング数が１以上であると判定した場合、領域指標値１／α３＞塊指標値１／α２であるかを判定する（ステップＳ１００）。信号処理部２０は、領域指標値１／α３＞塊指標値１／α２である（ステップＳ１００でＹｅｓ）と判定した場合、光照射量決定部８２により、領域指標値１／α３を領域光照射値１／αに決定し（ステップＳ１０２）、本処理を終了する。信号処理部２０は、領域指標値１／α３≦塊指標値１／α２である（ステップＳ１００でＮｏ）と判定した場合、光照射量決定部８２により、塊指標値１／α２を領域光照射値１／αに決定し（ステップＳ１０４）、本処理を終了する。つまり、信号処理部２０は、大きい方の値を領域光照射値１／αに設定する。
【００８２】
（領域点灯量の決定処理）
次に、領域点灯量ＬＡの決定処理について説明する。ＬＤ記憶部８３は、光源６２の輝度分布情報ＬＤを記憶する。図３、４に示したように、複数の光源６２は、それぞれ輝度分布（光の強度分布）が異なるので、それぞれの光源６２について、光源６２を所定の点灯量で点灯したときに検出される光源ユニット６０の全面の輝度値を輝度分布情報ＬＤとして記憶する。輝度分布情報について図１３、１４を用いて説明する。
【００８３】
図１３は、輝度分布情報を説明するための模式図である。図１３に示したように、輝度分布情報ＬＤは、画像表示パネル４０の画像表示面（または光源ユニット６０の射出面１０２）をｍ×ｎ（ｍ、ｎは、１≦ｍ≦Ｐ０、１≦ｎ≦Ｑ０を満たす任意の整数）の複数の領域１０４に分割し、領域１０４ごとに検出される光源ユニット６０の輝度値（光の強度の値）を記憶するものである。領域１０４の数は、画素数を最大として任意に設定される。領域１０４が１画素に対応する場合には、輝度分布情報ＬＤには画素単位の輝度値が記憶される。領域１０４が複数の画素に対応する場合には、領域１０４内の所定の位置にある画素を代表画素とし、代表画素における光源ユニット６０の輝度値が記憶される。図１３の例では、輝度値Ｌ１を示す輝度（Ｌ１）の分布線の内側の領域１０４の代表画素の輝度値には輝度値Ｌ１が設定される。ＬＤ記憶部８３には、光源６２ごとに、ｍ×ｎ個の領域１０４の輝度値をテーブル形式で設定した輝度分布情報ＬＤが記憶される。以下の説明では、このテーブル形式の輝度分布情報ＬＤを光源別ルックアップテーブルＬＵＴ（ＬＵＴ；LookUp Table）と呼ぶ。光源別ルックアップテーブルＬＵＴは、表示装置１０に固有の情報であるので、事前に作成し、ＬＤ記憶部８３に記憶しておく。
【００８４】
図１４は、光源別ルックアップテーブルを示した図である。光源別ルックアップテーブルＬＵＴは、光源６２Ａ、６２Ｂ、６２Ｃ、６２Ｄ、６２Ｅ、６２Ｆ、６２Ｇ、６２Ｈ、６２Ｉ及び６２Ｊそれぞれについて用意する。光源別ルックアップテーブルＬＵＴＡは、光源５６Ａを１灯だけ点灯したときの輝度値がｍ×ｎ領域分テーブル形式で記録されたものである。同様に、光源５６Ｂから光源５６Ｊについて、同様の光源別ルックアップテーブルＬＵＴが設定される。図１４では、光源５６Ｉについての光源別ルックアップテーブルＬＵＴ２４１Ｉ、光源５６ＪについてのＬＵＴＪを示している。所定の領域１０４を代表する代表画素の輝度値によって構成すれば、光源ルックアップテーブルＬＵＴのサイズを小さくし、ＬＤ記憶部８３の記憶用容量を低減することができる。画素ごとの輝度値が必要なときは、補間演算を行って算出することができる。なお、光源別ルックアップテーブルＬＵＴは、光源６２を１灯ずつ点灯したときの情報であるが、例えば、光源５６Ａ、５６Ｂの組、光源５６Ｃ、５６Ｄの組というように、それぞれを同時点灯した場合の光源別ルックアップテーブルを作成し、記憶しておくとしてもよい。これにより、光源別ルックアップテーブルＬＵＴの作成作業を省力化できるとともに、ＬＤ記憶部８３の記憶容量を低減できる。
【００８５】
また、光源別ルックアップテーブルＬＵＴには、輝度値が輝度ムラ補正に対応するように補正された状態で設定されていてもよい。このような光源別ルックアップテーブルＬＵＴを用いることにより、輝度ムラ補正も点灯パターンの決定と同時に行うことが可能となる。
【００８６】
光照射量決定部８２は、領域光照射値１／αと、ＬＤ記憶部８３に記憶される光源別ルックアップテーブルＬＵＴに基づき、各光源６２の点灯量（点灯パターン）である領域点灯量１／α’を決定する。領域点灯量１／α’は、演算により求めてもよい。また、仮領域点灯量を設定し、光源別ルックアップテーブルＬＵＴを用いて仮領域点灯量における駆動時輝度分布情報を算出し、領域光照射値１／αと比較して補正し、領域点灯量１／α’を決定してもよい。光照射量決定部８２は、領域点灯量１／α’に基づいて光源制御信号ＳＢＬを生成し、光源駆動部６０へ出力する。
【００８７】
輝度情報演算部２６は、領域点灯量１／α’と、ＬＤ記憶部８３に記憶される光源別ルックアップテーブルＬＵＴとを用いて、領域点灯量１／α’によって各光源６２を点灯したときの光源ユニット６０の輝度値（光の照射量）である画素光照射量１／α０を画素ごとに演算する。まず、領域点灯量１／α’で光源６２を点灯したときの光源別の駆動時輝度分布情報ＬＤを、光源別ルックアップテーブルＬＵＴを用いて算出する。光源別ルックアップテーブルＬＵＴから画素単位の情報が得られないときは、補間演算を行って光源別の駆動時輝度分布情報ＬＤを算出する。そして、光源別の駆動時輝度分布情報ＬＤを合成し、光源６２の駆動時輝度分布情報ＬＤを求める。算出したサイドライト光源６２の駆動時輝度分布情報ＬＤには、画素光照射量１／α０が画素単位に設定されている。
【００８８】
（出力信号の生成処理）
次に、出力信号の生成処理について説明する。最初に、信号処理部２０は、伸長係数算出部８４により、画素光照射量１／α０の値に基づき、伸長係数α０を算出する。伸長係数α０は、画素光照射量１／α０の逆数である。伸長係数α０は、画素毎に設定される値である。
【００８９】
信号処理部２０は、出力信号生成部８６により、第１副画素４９Ｒの表示階調を決定するための第１副画素の出力信号（信号値Ｘ１−（ｐ，ｑ））、第２副画素４９Ｇの表示階調を決定するための第２副画素の出力信号（信号値Ｘ２−（ｐ，ｑ））、第３副画素４９Ｂの表示階調を決定するための第３副画素の出力信号（信号値Ｘ３−（ｐ，ｑ））、及び第４副画素４９Ｗの表示階調を決定するための第４副画素の出力信号（信号値Ｘ４−（ｐ，ｑ））を生成し、画像表示パネル駆動部３０に出力する。以下、信号処理部２０による出力信号の生成処理について、具体的に説明する。
【００９０】
伸長係数α０を算出した後、信号処理部２０は、出力信号生成部８６により、第４副画素の出力信号値Ｘ４−（ｐ，ｑ）を、少なくとも第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づいて算出する。より詳しくは、信号処理部２０は、出力信号生成部８６により、Ｍｉｎ（ｐ，ｑ）と伸長係数α０との積に基づき第４副画素の出力信号値Ｘ４−（ｐ，ｑ）を求める。具体的には、信号処理部２０は、下記の式（４）に基づいて信号値Ｘ４−（ｐ，ｑ）を求めることができる。式（４）では、Ｍｉｎ（ｐ，ｑ）と伸長係数α０との積をχで除しているが、これに限定するものではない。
【００９１】
Ｘ４−（ｐ，ｑ）＝Ｍｉｎ（ｐ，ｑ）・α０／χ・・・（４）
【００９２】
ここで、χは表示装置１０に依存した定数である。白色を表示する第４副画素４９Ｗには、カラーフィルタが配置されていない。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも明るい。第１副画素４９Ｒに第１副画素４９Ｒの出力信号の最大信号値に相当する値を有する信号が入力され、第２副画素４９Ｇに第２副画素４９Ｇの出力信号の最大信号値に相当する値を有する信号が入力され、第３副画素４９Ｂに第３副画素４９Ｂの出力信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの出力信号の最大信号値に相当する値を有する信号が入力されたときの第４副画素４９Ｗの輝度をＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００９３】
具体的には、第１副画素４９Ｒ、第２副画素４９Ｇ及び第３副画素４９Ｂの集合体に、次の表示階調の値を有する入力信号として、信号値ｘ１−（ｐ，ｑ）＝２５５、信号値ｘ２−（ｐ，ｑ）＝２５５、信号値ｘ３−（ｐ，ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、第１実施形態にあっては、χ＝１．５である。
【００９４】
次に、信号処理部２０は、出力信号生成部８６により、少なくとも第１副画素の入力信号（信号値ｘ１−（ｐ，ｑ））及び伸長係数α０に基づいて、第１副画素の出力信号（信号値Ｘ１−（ｐ，ｑ））を算出し、少なくとも第２副画素の入力信号（信号値ｘ２−（ｐ，ｑ））及び伸長係数α０に基づいて第２副画素の出力信号（信号値Ｘ２−（ｐ，ｑ））を算出し、少なくとも第３副画素の入力信号（信号値ｘ３−（ｐ，ｑ））及び伸長係数α０に基づいて第３副画素の出力信号（信号値Ｘ３−（ｐ，ｑ））を算出する。
【００９５】
具体的には、信号処理部２０は、第１副画素の入力信号、伸長係数α０及び第４副画素の出力信号に基づいて第１副画素の出力信号を算出し、第２副画素の入力信号、伸長係数α０及び第４副画素の出力信号に基づいて第２副画素の出力信号を算出し、第３副画素の入力信号、伸長係数α０及び第４副画素の出力信号に基づいて第３副画素の出力信号を算出する。
【００９６】
つまり、信号処理部２０は、χを表示装置１０に依存した定数としたとき、第（ｐ，ｑ）番目の画素４８（あるいは、第１副画素４９Ｒ、第２副画素４９Ｇ及び第３副画素４９Ｂの組）への第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を、以下の式（５），（６），（７）から求める。
【００９７】
Ｘ１−（ｐ，ｑ）＝α０・ｘ１−（ｐ，ｑ）−χ・Ｘ４−（ｐ，ｑ）・・・（５）
Ｘ２−（ｐ，ｑ）＝α０・ｘ２−（ｐ，ｑ）−χ・Ｘ４−（ｐ，ｑ）・・・（６）
Ｘ３−（ｐ，ｑ）＝α０・ｘ３−（ｐ，ｑ）−χ・Ｘ４−（ｐ，ｑ）・・・（７）
【００９８】
このように、信号処理部２０は、各副画素４９の出力信号を生成する。次に、第（ｐ，ｑ）番目の画素４８における出力信号である信号値Ｘ１−（ｐ，ｑ）、Ｘ２−（ｐ，ｑ）、Ｘ３−（ｐ，ｑ）、Ｘ４−（ｐ，ｑ）の求め方（伸張処理）のまとめを説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、入力信号値のすべてが０である場合又は小さい場合、このような画素４８又は画素４８の群を含めることなく、伸長係数α０を求めればよい。
【００９９】
（第１工程）
まず、信号処理部２０は、伸長係数算出部８４により、対象領域における画素光照射量１／α０から、画素毎に伸長係数α０を算出する。
【０１００】
（第２工程）
次に、信号処理部２０は、第（ｐ，ｑ）番目の画素４８における信号値Ｘ４−（ｐ，ｑ）を、少なくとも、信号値ｘ１−（ｐ，ｑ）、信号値ｘ２−（ｐ，ｑ）及び信号値ｘ３−（ｐ，ｑ）に基づいて求める。第１実施形態にあっては、信号処理部２０は、信号値Ｘ４−（ｐ，ｑ）を、Ｍｉｎ（ｐ，ｑ）、伸長係数α０及び定数χに基づいて決定する。より具体的には、信号処理部２０は、上述したとおり、信号値Ｘ４−（ｐ，ｑ）を、上記の式（４）に基づいて求める。信号処理部２０は、対象領域の全画素４８において信号値Ｘ４−（ｐ，ｑ）を求める。
【０１０１】
（第３工程）
その後、信号処理部２０は、第（ｐ，ｑ）番目の画素４８における信号値Ｘ１−（ｐ，ｑ）を、信号値ｘ１−（ｐ，ｑ）、伸長係数α０及び信号値Ｘ４−（ｐ，ｑ）に基づき求め、第（ｐ，ｑ）番目の画素４８における信号値Ｘ２−（ｐ，ｑ）を、信号値ｘ２−（ｐ，ｑ）、伸長係数α０及び信号値Ｘ４−（ｐ，ｑ）に基づき求め、第（ｐ，ｑ）番目の画素４８における信号値Ｘ３−（ｐ，ｑ）を、信号値ｘ３−（ｐ，ｑ）、伸長係数α０及び信号値Ｘ４−（ｐ，ｑ）に基づき求める。具体的には、信号処理部２０は、第（ｐ，ｑ）番目の画素４８における信号値Ｘ１−（ｐ，ｑ）、信号値Ｘ２−（ｐ，ｑ）及び信号値Ｘ３−（ｐ，ｑ）を、上記の式（５）から（７）に基づいて求める。
【０１０２】
信号処理部２０は、出力信号生成部８６により、以上の工程で対象領域毎に出力信号を生成し、生成した出力信号を、画像表示パネル駆動部３０に出力する。
【０１０３】
以上説明したように、表示装置１０は、信号処理部２０が、入力信号に基づき画素指標値１／α１を画素毎に算出する画素指標値算出部７４と、上境界値Ｕｐと下境界値Ｂｏとの間の値を画素指標値１／α１とする画素が、起点画素４８ｓから連続して存在するかを判定する連続判定を行い、連続する画素の領域を塊と判定する塊判定部７６と、塊中の各画素４８の画素指標値１／α１に基づき、塊指標値１／α２を算出する塊指標値算出部７８と、対象領域の全域の画素４８の画素指標値１／α１に基づき、領域指標値１／α３を算出する領域指標値算出部８０と、塊指標値１／α２と領域指標値１／α３とを比較し、光の照射量が大きくなる方の値に基づき、対象領域における光源部の光の照射量（領域光照射値１／α）を決定する光照射量決定部８２と、を有する。
【０１０４】
図１５及び図１６は、表示装置に表示される画素の光の照射量の一例を説明するための説明図である。表示装置１０は、以上のように、光源ユニット６０からの光の照射量を示す領域光照射値１／αを算出する際に、所定のアルゴリズムを用いて算出した領域指標値１／α３に加え、塊検出を行って算出した塊指標値１／α２を用いることで、画質の劣化が生じることを抑制することができる。つまり、図１５に示す領域１７０ように、所定のアルゴリズムで電力の低減量を少なくして、画質を維持する場合はそのままとし、図１６に示す領域１８０のように、所定のアルゴリズムでは、電力の低減量を大きくし、画質が劣化してしまう場合に塊検出で電力の低減量を少なくして、画質を維持することができる。図１５に示す画像の場合、所定のアルゴリズムによって分散しているが所定個数以上ある画素１７２に対応して領域指標値１／α３を算出し、塊指標値算出部７８によって画素の集合体である画素１７４（塊）に対応して塊指標値１／α２を算出する。このとき算出される領域光照射値１／αは、領域指標値１／α３の方が高い値となるため、領域指標値１／α３が領域１７０の領域光照射値１／αとなる。図１６に示す画像の場合、所定のアルゴリズムによって所定個数以上ある画素１８６に対応して領域指標値１／α３を算出し、塊指標値算出部７８によって画素の集合体である画素１８４（塊）に対応して塊指標値１／α２を算出する。このとき算出される領域光照射値１／αは、塊指標値１／α２の方が高い値となるため、塊指標値１／α２が領域１８０の領域光照射値１／αとなる。これにより、図１６に示すように画素数としては少ないが、画素指標値１／α１が高くなる画素が集合している場合を塊判定部７６で好適に検出することができ、画質の劣化を抑制しつつ、消費電力を低減することができる。また、画素の連続性で判定することで、簡単な処理で塊を検出することができる。
【０１０５】
また、表示装置１０は、画素指標値１／α１が、起点画素４８ｓの画素指標値１／α１の値から所定の範囲内（上境界値Ｕｐと下境界値Ｂｏとの間）にある画素４８を、連続する画素であると判断する。すなわち、表示装置１０は、連続するか否かを決定する境界値を、起点画素４８ｓの画素指標値１／α１に基づいて決定する。例えば連続するか否かを決定する境界値が起点画素４８ｓの画素指標値１／α１によらず予め決められている場合、起点画素４８ｓに近い画素指標値１／α１を有する画素であっても、境界値の範囲外であれば、連続しないと判定される。しかし、表示装置１０は、起点画素４８ｓの画素指標値１／α１に基づいて境界値を決定するため、値が近い画素指標値１／α１を有する画素について、適切に連続すると判定することできる。従って、表示装置１０は、塊検出をより適切に行うことが可能となり、画質の劣化を抑制しつつ、消費電力を低減することができる。
【０１０６】
また、塊判定部７６は、連続判定を、起点画素４８ｓから判定方向Ｚ側の各画素に対して、判定方向Ｚに沿って順番に行い、判定画素４８ｕの直前に連続判定された画素である直前画素４８ｔの画素指標値１／α１が上境界値Ｕｐと下境界値Ｂｏとの間の値であり、かつ、判定画素４８ｕの画素指標値１／α１が上境界値Ｕｐと下境界値Ｂｏとの間の値である場合に、判定画素４８ｕは起点画素４８ｓから連続すると判定する。塊判定部７６は、起点画素４８ｓから判定画素４８ｕまでの全てのサンプリング点の画素４８が連続すると判定されていた場合に、判定画素４８ｕが連続すると判定する。従って、表示装置１０は、より適切に連続判定を行うことできる。
【０１０７】
また、塊判定部７６は、連続判定において、画素が連続しないと判断した場合に連続判定を中断し、連続しないと判定された画素を新たな起点画素として、連続判定を再開する。塊判定部７６は、連続判定が途切れた後に、また新たに連続判定を再開するため、例えば画面中に輝度が異なる画素群が複数ある場合にも、適切にそれらを塊として検出することができる。従って、表示装置１０は、塊検出をより適切に行うことが可能となる。
【０１０８】
また、塊指標値算出部７８は、塊中の各画素の画素指標値１／α１のうちの最大値を、塊指標値１／α２とする。塊指標値算出部７８は、塊指標値１／α２の値を大きくすることができるため、より適切に画質の劣化を抑制しつつ、消費電力を低減することができる。
【０１０９】
また、塊判定部７６は、水平方向に沿って塊判定を行う。図１７から図１９は、水平方向の塊判定を行った場合を説明した説明図である。塊判定部７６は、図１０に示した水平方向の処理を行うことで、図１７に示すように画素指標値１／α１が高い画素１１４が水平方向に連続している領域１１６を塊と判定することができる。具体的には、領域１１６にあるサンプリング点１１２の画素指標値１／α１を連続していると判定し、塊であると判定する。なお、画素指標値１／α１が高い画素１１４とは、彩度が高い画像、例えば、黄色、緑、赤等の原色、またはＲＧＢ、３色のうち２色の成分の階調が高く残りの１成分が０に近い画素である。また、塊判定部７６は、図１０に示した水平方向の処理を行うことで、図１７に示すように画素指標値１／α１が高い画素１１４が水平方向に連続していない領域１１９に塊がないと判定する。
【０１１０】
図１８は、画素指標値１／α１が高い画素１１４が集合した塊１２２が範囲１２０で囲まれた複数の領域１０４にまたがっている場合を示している。また、図１９は、範囲１２０を拡大して示している。塊判定部７６は、図１０に示した水平方向の処理を行い、水平方向の境界に到達したのちも画素指標値１／α１とフラグを持ち越すことで、図１８及び図１９に示すように塊１２２が隣接する領域１０４から延在している場合でも、実線１２４で示すように、分割線１０６を超えて、塊の判定結果を水平方向に持ち越すことで、隣接する領域１０４での塊を確実に検出することができる。
【０１１１】
また、塊判定部７６は、垂直方向に沿って塊判定を行う。図２０は、垂直方向の塊判定を行った場合を説明した説明図である。塊判定部７６は、図１１に示した垂直方向の処理を行うことで、図２０に示すように画素指標値１／α１が高い画素１１４が垂直方向に連続している領域１５０、１５２、１５４の塊を塊と判定することができる。また、塊判定部７６は、図１１に示した処理を行うことで、画素指標値１／α１が高い画素１１４が垂直方向に連続していない領域１５６、１５８、１５８に塊がないと判定する。
【０１１２】
（第２実施形態）
次に、第２実施形態について説明する。第２実施形態に係る表示装置１０Ａは、連続判定の判定方法が第１実施形態とは異なる。第２実施形態において第１実施形態と共通する箇所の説明は省略する。
【０１１３】
第２実施形態に係る表示装置１０Ａが有する塊判定部７６は、連続判定のための連続判定値が、第１実施形態に係る塊判定部７６とは異なる。第１実施形態における連続判定値は、上境界値Ｕｐ及び下境界値Ｂｏであったが、第２実施形態における連続判定値は、上境界値Ｕｐ及び下境界値Ｂｏに加え、一時境界値Ｔｅ、限界上境界値Ｌｕｐ、限界下境界値Ｌｂｏを含む。
【０１１４】
塊判定部７６は、第１実施形態と同じ方法で、起点画素４８ｓの画素指標値１／α１から、上境界値Ｕｐ及び下境界値Ｂｏを算出する。また、塊判定部７６は、判定画素４８ｕの直前に連続判定を行った直前画素４８ｔがある場合、直前画素４８ｔの画素指標値１／α１に基づき、一時境界値Ｔｅを算出する。一時境界値Ｔｅは、上境界値Ｕｐと下境界値Ｂｏとの間の範囲外の値であり、直前画素４８ｔの画素指標値１／α１から所定値Ａ３だけ値が異なる値である。所定値Ａ３は、予め設定された値であり、上境界値Ｕｐ及び下境界値Ｂｏと起点画素４８ｓの画素指標値１／α１との差である所定値Ａ１、Ａ２と同じ値であるが、これに限られず異なる値であってもよく、例えば操作者の設定などにより変更可能であってもよい。
【０１１５】
塊判定部７６は、直前画素４８ｔの画素指標値１／α１が起点画素４８ｓの画素指標値１／α１より大きい場合は、一時境界値Ｔｅを上境界値Ｕｐより大きい値とし、直前画素４８ｔの画素指標値１／α１が起点画素４８ｓの画素指標値１／α１より小さい場合は、一時境界値Ｔｅを下境界値Ｂｏより小さい値とする。
【０１１６】
塊判定部７６は、判定画素４８ｔの画素指標値１／α１が、上境界値Ｕｐと下境界値Ｂｏとの間の値でなくても、直前画素４８ｔの画素指標値１／α１と一時境界値Ｔｅとの間の値であれば、判定画素４８ｔは起点画素４８ｓに連続する画素であると判定する。より詳しくは、一時境界値Ｔｅが上境界値Ｕｐより大きい値である場合（直前画素４８ｔの画素指標値１／α１が起点画素４８ｓの画素指標値１／α１よりも大きい）、塊判定部７６は、判定画素４８ｔの画素指標値１／α１が、下境界値Ｂｏと一時境界値Ｔｅとの間の値（下境界値Ｂｏ以上、一時境界値Ｔｅ以下）であれば、判定画素４８ｔは起点画素４８ｓに連続する画素であると判定する。また、一時境界値Ｔｅが下境界値Ｂｏより大きい値である場合（直前画素４８ｔの画素指標値１／α１が起点画素４８ｓの画素指標値１／α１よりも小さい）、塊判定部７６は、判定画素４８ｔの画素指標値１／α１が、上境界値Ｕｐと一時境界値Ｔｅとの間の値（一時境界値Ｔｅ以上、上境界値Ｕｐ以下）であれば、判定画素４８ｔは起点画素４８ｓに連続する画素であると判定する。
【０１１７】
このように、一時境界値Ｔｅは、直前画素４８ｔの画素指標値１／α１に基づき、直前画素４８ｔの次に連続判定される画素４８だけに適用される拡大された境界値である。この一時境界値Ｔｅは、直前画素４８ｔの画素指標値１／α１に基づき算出されるため、サンプリング点毎に異なる値となる場合がある。
【０１１８】
さらに、塊判定部７６は、起点画素４８ｓの画素指標値１／α１から、限界上境界値Ｌｕｐ、限界下境界値Ｌｂｏを算出する。限界上境界値Ｌｕｐは、上境界値Ｕｐより大きい値であり、限界下境界値Ｌｂｏは、下境界値Ｂｏより小さい値である。塊判定部７６は、上境界値Ｕｐよりも所定値Ａ４だけ大きい値を、限界上境界値Ｌｕｐとする。塊判定部７６は、下境界値Ｂｏよりも所定値Ａ５だけ小さい値を、限界下境界値Ｌｂｏとする。所定値Ａ４、Ａ５は、予め設定された値であり、所定値Ａ１、Ａ２と同じ値であるが、これに限られず異なる値であってもよく、例えば操作者の設定などにより変更可能であってもよい。
【０１１９】
塊判定部７６は、判定画素４８ｔの画素指標値１／α１が、直前画素４８ｔの画素指標値１／α１と一時境界値Ｔｅとの間の値であっても、限界上境界値Ｌｕｐと限界下境界値Ｌｂｏとの間（限界下境界値Ｌｂｏ以上、限界上境界値Ｌｕｐ以下）の範囲外の値である場合、判定画素４８ｔは起点画素４８ｓに連続しないと判定する。すなわち、塊判定部７６は、一時境界値Ｔｅにより連続判定の範囲を拡大しつつ、拡大した連続判定の上限値と下限値を、限界上境界値Ｌｕｐと限界下境界値Ｌｂｏに制限する。
【０１２０】
図２１は、第２実施形態における連続判定を説明するための一例を示す説明図である。以上説明した第２実施形態における連続判定の一例を、図２１により説明する。図２１の横軸は、サンプリング点の各画素４８を示し、縦軸はサンプリング点の各画素４８の画素指標値１／α１を示す。すなわち、図２１は、図８と同様に、サンプリング点の画素４８毎の画素指標値１／α１を示したものである。
【０１２１】
塊判定部７６は、図２１に示すように、画素４８ａ１を起点画素４８ｓとして選択して連続判定を行う場合、画素４８ａ１の画素指標値１／α１に基づき、画素４８ａ１の上境界値Ｕｐａ１及び下境界値Ｂｏａ１と、限界上境界値Ｌｕｐａ１及び限界下境界値Ｌｂｏａ１とを算出する。
【０１２２】
塊判定部７６は、画素４８ａ１の判定方向Ｚに沿って、各サンプリング点の画素が画素４８ａ１と連続しているかを判定する。画素４８ａ２、４８ａ３は、画素指標値１／α１が画素４８ａ１の上境界値Ｕｐａ１と下境界値Ｂｏａ１との間の値であるため、画素４８ａ１と連続する。
【０１２３】
一方、画素４８ａ４は、画素指標値１／α１が上境界値Ｕｐａ１よりも大きい。ただし、画素４８ａ４の画素指標値１／α１は、直前画素である画素４８ａ３の画素指標値１／α１に基づき算出された一時境界値Ｔｅａ４以下の値であり、かつ、限界上境界値Ｌｕｐａ１以下の値である。従って、画素４８ａ４は、上境界値Ｕｐａ１と下境界値Ｂｏａ１との間の値ではないが、画素４８ａ３の画素指標値１／α１と一時境界値Ｔｅａ４との間の値であるため、画素４８ａ１と連続すると判定される。
【０１２４】
また、画素４８ａ５は、画素指標値１／α１が上境界値Ｕｐａ１よりも大きく、直前画素である画素４８ａ４の画素指標値１／α１に基づき算出された一時境界値Ｔｅａ５以下の値である。ただし、画素４８ａ５は、画素指標値１／α１が限界上境界値Ｌｕｐａ１よりも大きい。すなわち、画素４８ａ５は、画素４８ａ４の画素指標値１／α１と一時境界値Ｔｅａ５との間の値であるが、限界上境界値Ｌｕｐａ１及び限界下境界値Ｌｂｏａ１との間の値でないため、画素４８ａ１と連続しないと判定される。なお、画素指標値１／α１が限界上境界値Ｌｕｐａ１及び限界下境界値Ｌｂｏａ１との間の値であっても、直前画素４８の画素指標値１／α１と一時境界値Ｔｅとの間の値でない場合も、その画素は連続しないと判定される。
【０１２５】
塊判定部７６は、画素４８ａ１から画素４８ａ４が連続すると判定し、画素４８ａ５は連続しないと判定して、連続判定を中断する。塊判定部７６は、画素４８ａ５を新たな起点画素４８ｓとして、連続判定を再開する。
【０１２６】
以上説明した第２実施形態における連続判定処理を、フローチャートにより説明する。最初に、連続判定値の算出方法について説明する。図２２は、第２実施形態における連続判定値の算出方法を説明するフローチャートである。図２２は、図１０のステップＳ２５、及び図１１のステップＳ６５における連続判定値の算出において、第２実施形態の算出方法を詳細に説明したフローチャートである。図２２に示すように、塊判定部７６は、連続判定値の算出において、起点画素４８ｓの画素指標値１／α１に基づき、上境界値Ｕｐ及び下境界値Ｂｏを決定（算出）し（ステップＳ１１０）、起点画素４８ｓの画素指標値１／α１に基づき、限界上境界値Ｌｕｐと限界下境界値Ｌｂｏとを決定（算出）する（ステップＳ１１２）。ステップＳ１１２は、ステップＳ１１０と同時に行われてもよい。
【０１２７】
限界上境界値Ｌｕｐと限界下境界値Ｌｂｏとを算出した後、塊判定部７６は、連続判定を行う画素に、直前に連続判定された直前画素４８ｔがあるかを判断する（ステップＳ１１４）。塊判定部７６は、直前画素４８ｔがあると判断した場合（ステップＳ１１４でＹｅｓ）、直前画素４８ｔの画素指標値１／α１に基づき、一時境界値Ｔｅを決定（算出）し（ステップＳ１１６）、連続判定値の算出処理は終了する。塊判定部７６は、直前画素４８ｔがないと判断した場合（ステップＳ１１４でＮｏ）も、連続判定値の算出処理を終了する。なお、ステップＳ１１４は、直前画素４８ｔがあると判断した場合にのみ行ってもよい。
【０１２８】
次に、連続判定の方法について説明する。図２３は、第２実施形態における連続判定値の算出方法を説明するフローチャートである。図２３は、図１０のステップＳ２８、及び図１１のステップＳ７０における連続判定方法において、第２実施形態の連続判定方法を詳細に説明したフローチャートである。図２３に示すように、塊判定部７６は、下境界値Ｂｏ≦サンプリング点の画素指標値１／α１≦上境界値Ｕｐであるかを判定する（ステップＳ１２０）。塊判定部７６は、下境界値Ｂｏ≦サンプリング点の画素指標値１／α１≦上境界値Ｕｐである場合（ステップＳ１２０でＹｅｓ）、サンプリング点の画素が連続していると判断し（ステップＳ１２２）、この処理を終了する。
【０１２９】
また、塊判定部７６は、下境界値Ｂｏ≦サンプリング点の画素指標値１／α１≦上境界値Ｕｐでないと判断した場合（ステップＳ１２０でＮｏ）、限界下境界値Ｌｂｏ≦サンプリング点の画素指標値１／α１≦限界上境界値Ｌｕｐであるかを判定する（ステップＳ１２４）。塊判定部７６は、限界下境界値Ｌｂｏ≦サンプリング点の画素指標値１／α１≦限界上境界値Ｌｕｐでない場合（ステップＳ１２４でＮｏ）、サンプリング点の画素が連続していないと判断し（ステップＳ１２６）、この処理を終了する。
【０１３０】
塊判定部７６は、限界下境界値Ｌｂｏ≦サンプリング点の画素指標値１／α１≦限界上境界値Ｌｕｐである場合（ステップＳ１２４でＹｅｓ）、サンプリング点の画素指標値１／α１が、一時境界値Ｔｅと直前画素４８ｔの画素指標値１／α１の間の値であるかを判定する（ステップＳ１２８）。塊判定部７６は、サンプリング点の画素指標値１／α１が、一時境界値Ｔｅと直前画素４８ｔの画素指標値１／α１の間の値である場合（ステップＳ１２８でＹｅｓ）、サンプリング点の画素が連続していると判断し（ステップＳ１２２）、この処理を終了する。塊判定部７６は、サンプリング点の画素指標値１／α１が、一時境界値Ｔｅと直前画素４８ｔの画素指標値１／α１の間の値でない場合（ステップＳ１２８でＮｏ）、サンプリング点の画素が連続していないと判断し（ステップＳ１２６）、この処理を終了する。
【０１３１】
以上のように、第２実施形態に係る表示装置１０Ａの塊判定部７６は、判定画素４８ｕの画素指標値１／α１が、直前画素４８ｔの画素指標値１／α１と、一時境界値Ｔｅとの間の値である場合には、判定画素４８ｕは起点画素４８ｓから連続すると判定する。塊判定部７６は、判定画素４８ｕの画素指標値１／α１が、上境界値Ｕｐと下境界値Ｂｏとの間の値でない場合であっても、一時境界値Ｔｅの範囲内の値である場合は、判定画素４８ｕが連続すると判定する。塊判定部７６は、画素指標値１／α１が起点画素４８ｓから離れた値であっても、直前に連続判定された直前画素４８ｔの画素指標値１／α１に近い値であれば、連続すると判定する。従って、塊判定部７６は、より適切に塊検出を行うことができる。
【０１３２】
また、一時境界値Ｔｅは、直前画素４８ｔの画素指標値１／α１が起点画素４８ｓの画素指標値１／α１より大きい場合に、上境界値Ｕｐより大きい値となり、直前画素４８ｔの画素指標値１／α１が起点画素４８ｓの画素指標値１／α１より小さい場合に、下境界値Ｂｏより小さい値となる。塊判定部７６は、一時境界値Ｔｅにより、連続すると判定される画素指標値１／α１の値の範囲を、適切に増加させることができるため、より適切に塊検出を行うことができる。
【０１３３】
また、塊判定部７６は、判定画素４８ｕの画素指標値１／α１が、直前画素４８ｔの画素指標値１／α１と一時境界値Ｔｅとの間の値であっても、限界下境界値Ｌｂｏと限界上境界値Ｌｕｐとの間の範囲外の値である場合には、判定画素４８ｕは起点画素４８ｓから連続しないと判定する。塊判定部７６は、連続すると判定される画素指標値１／α１の値の範囲を、一時境界値Ｔｅによって広げつつ、限界下境界値Ｌｂｏと限界上境界値Ｌｕｐとを限界とする。塊判定部７６は、連続すると判定される画素指標値１／α１の値の範囲を適切な範囲まで広げることができるため、より適切に塊検出を行うことができる。
【０１３４】
（第３実施形態）
次に、第３実施形態について説明する。第３実施形態に係る表示装置１０Ｂは、塊指標値１／α２の算出方法が第１実施形態とは異なる。第３実施形態において第１実施形態と共通する箇所の説明は省略する。
【０１３５】
第３実施形態に係る表示装置１０Ｂが有する塊指標値算出部７８Ｂは、塊中の全画素４８の画素指標値１／α１の内の最大値と最小値との間の値を、その塊の塊指標値１／α２とする。より詳しくは、塊指標値算出部７８Ｂは、塊中の全画素４８の画素指標値１／α１の平均に基づき、その塊の塊指標値１／α２を算出する。具体的には、塊指標値算出部７８Ｂは、次の式（８）に示すように、塊中の全画素４８の画素指標値１／α１の加算平均値を、その塊の塊指標値１／α２とする。
【０１３６】
【数８】
2016200745.tif 000003
【０１３７】
式（８）におけるｎは、塊中に含まれる画素４８の数、すなわち起点画素４８ｓを含む連続すると判定された画素の数である。また、式（８）における１／α１ａｋは、起点画素４８ｓを含む塊中のいずれかの画素４８の画素指標値１／α１である。
【０１３８】
塊指標値算出部７８Ｂは、このように塊中の全画素４８の画素指標値１／α１の加算平均値を、その塊の塊指標値１／α２とするが、これに限られず、例えば加算平均値に所定の係数を加えたり乗じたりしてもよく、他の平均処理を用いて算出するものであってもよい。
【０１３９】
また、塊指標値算出部７８Ｂは、塊中の全画素４８の画素指標値１／α１の内の最大値と最小値との間の値を、その塊の塊指標値１／α２とするものであればよく、例えば、判定画素４８ｕの画素指標値１／α１と起点画素４８ｓの画素指標値１／α１との差分同士を平均して算出した差分平均値と、起点画素の画素指標値１／α１とに基づき、塊指標値１／α２を算出してもよい。ここで、差分平均値は、判定画素４８ｕの画素指標値１／α１と起点画素４８ｓの画素指標値１／α１との差分値を、塊中の各画素４８毎に算出し、その差分値同士を平均した値である。塊指標値算出部７８Ｂは、例えば、起点画素の画素指標値１／α１に、この差分平均値を加えることにより、塊指標値１／α２を算出する。具体的には、塊指標値算出部７８Ｂは、例えば次の式（９）に基づき、塊指標値１／α２を算出する。
【０１４０】
【数９】
2016200745.tif 000004
【０１４１】
ただし、式（９）における１／α１ａ０は、起点画素４８ｓの画素指標値１／α１であり、式（９）における１／α１ａｋは、起点画素４８ｓを含まない塊中のいずれかの画素４８の画素指標値１／α１である。また、式（９）におけるｍは、次の式（１０）に示す値である。
【０１４２】
【数１０】
2016200745.tif 000005
【０１４３】
ここで、式（１０）におけるＮは、次の式（１１）に示す値である。
【０１４４】
【数１１】
2016200745.tif 000006
【０１４５】
ここで、式（１１）におけるＣｅｉｌｉｎｇ（ｘ）という関数は、値がｘを越えない最大の整数を算出する天井関数である。すなわち、式（１１）におけるＮは、ｎの平方根を越えない最大の整数である。
【０１４６】
以上のように、塊指標値算出部７８Ｂは、式（９）に基づき塊の塊指標値１／α２を算出する場合、ｍを２の階乗毎の値とする。従って、塊指標値算出部７８Ｂは、式（９）に基づき塊の塊指標値１／α２を算出する場合、演算の容量を抑制することができる。また、塊指標値算出部７８Ｂは、連続する画素４８の数が所定数以上である場合（ｎが所定の値以上である場合）、その所定数の数までの画素４８について式（９）により塊指標値１／α２を算出し、それをその塊の塊指標値１／α２としてもよい。この場合、所定数は、例えば６３であるが、これに限られない。この場合においても、塊指標値算出部７８Ｂは、演算数が多くなることを抑制するため、演算の容量を抑制することができる。さらに、所定数までは演算を行っているため、演算精度の低下も抑制することができる。なお、塊指標値算出部７８Ｂは、差分平均値と起点画素の画素指標値１／α１とに基づき、塊指標値１／α２を算出するものであれば、塊指標値１／α２の算出方法は、上述の式（９）に限られない。
【０１４７】
以上説明したように、塊指標値算出部７８Ｂは、塊中の全画素４８の画素指標値１／α１の内の最大値と最小値との間の値を、その塊の塊指標値１／α２とする。塊指標値算出部７８Ｂは、塊中の全画素４８の画素指標値１／α１の値に基づき塊の塊指標値１／α２を算出するため、より適切に画質の劣化を抑制しつつ、消費電力を低減することができる。
【０１４８】
また、塊指標値算出部７８Ｂは、塊中の各画素４８の画素指標値１／α１の平均に基づき、塊指標値１／α２を算出する。この塊指標値算出部７８Ｂは、塊中の全画素４８の画素指標値１／α１の平均に基づき塊の塊指標値１／α２を算出するため、より適切に画質の劣化を抑制しつつ、消費電力を低減することができる。
【０１４９】
また、塊指標値算出部７８Ｂは、塊中の画素４８の画素指標値１／α１と起点画素４８ｓの画素指標値１／α１との差分同士を平均して算出した差分平均値と、起点画素４８ｓの画素指標値１／α１と、に基づき、塊指標値１／α２を算出してもよい。塊指標値算出部７８Ｂは、差分平均値に基づき塊の塊指標値１／α２を算出するため、より適切に画質の劣化を抑制しつつ、消費電力を低減することができる。
【０１５０】
（適用例）
次に、図２４及び図２５を参照して、第１実施形態で説明した表示装置１０の適用例について説明する。図２４及び図２５は、第１実施形態に係る表示装置を適用する電子機器の一例を示す図である。第１実施形態に係る表示装置１０は、図２４に示すカーナビゲーションシステム、テレビジョン装置、デジタルカメラ、ノート型パーソナルコンピュータ、図２５に示す携帯電話等の携帯端末装置あるいはビデオカメラなどのあらゆる分野の電子機器に適用することが可能である。言い換えると、第１実施形態に係る表示装置１０は、外部から入力された映像信号あるいは内部で生成した映像信号を、画像あるいは映像として表示するあらゆる分野の電子機器に適用することが可能である。電子機器は、表示装置に映像信号を供給し、表示装置の動作を制御する制御装置１１（図１参照）を備える。なお、本適用例は、第１実施形態に係る表示装置１０以外でも、以上説明した他の実施形態に係る表示装置にも適用できる。
【０１５１】
図２４に示す電子機器は、第１実施形態に係る表示装置１０が適用されるカーナビゲーション装置である。表示装置１０は、自動車の車内のダッシュボード３００に設置される。具体的にはダッシュボード３００の運転席３１１と助手席３１２の間に設置される。カーナビゲーション装置の表示装置１０は、ナビゲーション表示、音楽操作画面の表示、又は、映画再生表示等に利用される。
【０１５２】
図２５に示す電子機器は、第１実施形態に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、第１実施形態に係る表示装置１０と外部近接物体を検出可能なタッチ検出（いわゆるタッチパネル）機能とを備えている。
【０１５３】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０１５４】
１０  表示装置
２０  信号処理部
３０  画像表示パネル駆動部
４０  画像表示パネル
４８  画素
４８ｓ  起点画素
４８ｔ  直前画素
４８ｕ  判定画素
４９Ｒ  第１副画素
４９Ｇ  第２副画素
４９Ｂ  第３副画素
４９Ｗ  第４副画素
５０  光源駆動部
６０  光源ユニット
７２  仮伸長係数算出部
７４  画素指標値算出部
７６  塊判定部
７８  塊指標値算出部
８０  領域指標値算出部
８２  光照射量決定部
８４  伸長係数算出部
８６  出力信号生成部
【図１】
2016200745.tif 000007
【図２】
2016200745.tif 000008
【図３】
2016200745.tif 000009
【図４】
2016200745.tif 000010
【図５】
2016200745.tif 000011
【図６】
2016200745.tif 000012
【図７】
2016200745.tif 000013
【図８】
2016200745.tif 000014
【図９】
2016200745.tif 000015
【図１０】
2016200745.tif 000016
【図１１】
2016200745.tif 000017
【図１２】
2016200745.tif 000018
【図１３】
2016200745.tif 000019
【図１４】
2016200745.tif 000020
【図１５】
2016200745.tif 000021
【図１６】
2016200745.tif 000022
【図１７】
2016200745.tif 000023
【図１８】
2016200745.tif 000024
【図１９】
2016200745.tif 000025
【図２０】
2016200745.tif 000026
【図２１】
2016200745.tif 000027
【図２２】
2016200745.tif 000028
【図２３】
2016200745.tif 000029
【図２４】
2016200745.tif 000030
【図２５】
2016200745.tif 000031